(57)【要約】【課題】端末の表示部の画面形式で、利用者が画面形式の詳細な情報を知見していない場合でも、サーバが表示部の画面形式に適合した表示情報を得ることができ、最適なコンテンツ変換サービスを提供することができる。【解決手段】コンテンツ変換サーバ２がタッチパネル３ａを備えた車載端末３に、画面形式の検知するための、少なくとも一部分を表示可能なテストパターン５のデータを送信する。タッチパネル３ａに表示されたテストパターン５の指示に応じて、利用者がテストパターン５の指示部分に指を触れると、車載端末３は、接触位置に基づいた入力から画面形式データを生成しサーバ２に送信する。サーバ２は、画面形式データを受信すると、データベース４から最も近い画面形式データを索出し、索出した画面形式データを、送信した車載端末３のタッチパネル３ａの画面形式と特定する。【選択図】        図１
2005004527.tif 000002
【特許請求の範囲】
【請求項１】
ネットワーク網を介して相互に通信可能な、サーバと、入力手段および表示手段を備えた端末との間において、
上記サーバが、上記表示手段を備えた端末に、上記表示手段に少なくとも一部を表示可能な画面形式テストパターンのデータを送信し、
上記表示手段に表示された上記画面形式テストパターンに応じて上記入力手段に入力されたデータに基づく画面形式データを、上記端末が上記サーバに送信し、
上記サーバが受信した上記画面形式データに基づいて、上記サーバが上記画面形式データを送信した端末の表示手段における画面形式を特定する
ことを特徴とする画面形式判別方法。
【請求項２】
上記端末が、車両に搭載可能に構成された車載端末である
ことを特徴とする請求項１記載の画面形式判別方法。
【請求項３】
上記表示手段の画面形式を特定する画面形式データが、ドット数データおよびビーム間隔データを含む
ことを特徴とする請求項１または２記載の画面形式判別方法。
【請求項４】
ネットワーク網と、
上記ネットワーク網に接続可能なサーバと、
上記ネットワーク網に接続可能で、表示手段および入力手段を備えた、複数の端末と、を有し、
上記サーバが、上記端末に、画面形式を特定可能な情報を含む画面形式テストパターンのデータを送信し、
上記端末における上記表示手段が、上記画面形式のテストパターンを表示し、
ユーザにより、上記表示手段における上記テストパターンの表示に応じた入力が上記入力手段にされることにより、上記端末が上記表示手段の画面形式を特定可能な画面形式データを、上記ネットワーク網を介して上記サーバに送信可能に構成され、
上記サーバが、受信した上記画面形式データに基づいて、上記画面形式データを送信した上記端末における上記表示手段の画面形式を特定するように構成されている
ことを特徴とする画面形式判別システム。
【請求項５】
上記表示手段と上記入力手段とが、一体的に構成され、表示画面が、有体物またはユーザの体の一部を接触させて情報を入力可能なタッチパネルディスプレイから構成されている
ことを特徴とする請求項４記載の画面形式判別システム。
【請求項６】
上記表示手段の画面形式を特定する画面形式データが、ドット数データおよびビーム間隔データを含む
ことを特徴とする請求項４または５記載の画面形式判別システム。
【請求項７】
情報を表示可能に構成された表示手段と、情報を入力可能に構成された入力手段とを有するとともに、ネットワーク網に接続可能に構成され、上記ネットワーク網を介して受信した画面形式テストパターンのデータの少なくとも一部が、上記表示手段により表示可能に構成され、上記表示手段における上記画面形式テストパターンのデータの表示に応じた入力がユーザにより上記入力手段にされると、上記表示手段の画面形式を特定可能な画面形式データを、上記ネットワーク網を介して出力可能に構成された、車載端末が備えられている
ことを特徴とする車両。
【請求項８】
上記表示手段と上記入力手段とが、一体的に構成され、表示画面が、有体物またはユーザの体の一部を接触させて情報を入力可能なタッチパネルディスプレイから構成されている
ことを特徴とする請求項７記載の車両。
【発明の詳細な説明】
【０００１】
【発明の属する技術分野】
この発明は、画面形式判別方法および判別システム、ならびに車両に関し、特に、コンテンツ変換サービスを利用する、車載用のインターネット端末に適用して好適なものである。
【０００２】
【従来の技術】
従来、インターネットにおけるコンテンツは、パーソナルコンピュータ端末（ＰＣ端末）用に作成されている場合が多かった。すなわち、コンテンツは、一般のＰＣ端末のディスプレイに表示する際に、最適な表示ができるように構成されていた。
【０００３】
また、このような状況の中で、インターネットのＷｅｂページなどを閲覧可能な、携帯電話やＰＤＡ（Ｐｅｒｓｏｎａｌ  Ｄｉｇｉｔａｌ  Ａｓｓｉｓｔａｎｔ）などの携帯端末が普及してきている。
【０００４】
しかしながら、これらの携帯端末においては、携帯特性が重視されているため、その表示画面はＰＣ端末のディスプレイに比して小型化され、画面の解像度も、異なっていることが多い。そこで、ＰＣ端末のディスプレイ用に最適化されているインターネット上のＷｅｂページなどを、携帯端末の表示画面に表示するために、コンテンツ変換技術が開発され普及してきている。
【０００５】
また、このようなコンテンツ変換技術を、車両に搭載する車載端末に適用し、コンテンツをユーザの状況や嗜好に合わせてカスタマイズする技術も提案されている（例えば、特許文献１参照）。
【０００６】
【特許文献１】
特開２００２−１３２６４５号公報
【０００７】
【発明が解決しようとする課題】
しかしながら、上述の従来の技術においては、次のような問題があった。
【０００８】
すなわち、現在、画面形式がほぼ限定されているＰＤＡや携帯電話などの携帯端末において、コンテンツ変換サービスを享受する場合には、コンテンツ変換サーバから携帯端末に、ＰＤＡ固有の画面形式や携帯電話固有の画面形式に基づいた画像情報や表示情報を送信することにより、携帯端末側において受信した画面情報や表示情報を適切な画面形式に変換して、表示するように構成されていた。
【０００９】
ところが、このような技術を車載端末に適用しようとすると、車載端末における表示部のディスプレイの種類が多岐にわたっていることから、最適な画面形式も多岐にわたり、最適な画面表示を得ることが困難であった。
【００１０】
すなわち、画面情報が大きすぎてしまうと、車載端末固有の画面形式の基づいた画面情報を車載端末に送信して、その画面情報を表示しようとしても、画面情報が表示部をはみ出してしまい、Ｗｅｂページのリンク部分などをポイントできなくなるという問題が生じる。
【００１１】
逆に、画面情報が小さすぎてしまうと、車載端末の表示部に用いられるタッチパネルにおいて、所望のリンク部分と他のリンク部分との間が狭くなってしまい、利用者が指などでリンク部分などをクリックしても、所望のリンクに関連づけされたＷｅｂページに飛ぶことができず、所望とするＷｅｂページを閲覧できなくなったりするという問題がある。
【００１２】
そのため、特に車載端末に関しては、コンテンツ変換サービスを享受可能な端末は、事前に画面形式が判明している特定の種類の車載端末に対してのみであった。また、携帯端末の普及や、携帯端末の利用者の嗜好の多様化から、携帯端末において、表示部の画面形式が多岐に渡るようになった場合には、やはり同様の問題が生じてしまう。
【００１３】
また、これらの車載端末や携帯端末の画面形式が多岐にわたった場合、これらの端末において、コンテンツ変換サービスを享受しようとすると、それぞれの端末の画像形式について、利用者が詳細な情報を知見しておかなければならないため、操作が極めて煩雑になってしまうという問題が生じる。
【００１４】
したがって、この発明の目的は、端末における表示部の画面形式が多様になる場合であっても、コンテンツ変換サービスにおいて、表示部の画面形式に適合した画面情報を得ることができる画面形式判別方法、画面形式判別システムおよび車両を提供することにある。
【００１５】
また、この発明の他の目的は、利用者が、端末の画面形式について詳細な情報を知見していない場合であっても、最適化されたコンテンツ変換サービスを享受することができる画面形式判別方法および画面形式判別システム、ならびに車両を提供することにある。
【００１６】
【課題を解決するための手段】
上記目的を達成するために、この発明の第１の発明は、
ネットワーク網を介して相互に通信可能な、サーバと、入力手段および表示手段を備えた端末との間において、
サーバが、表示手段を備えた端末に、表示手段に少なくとも一部を表示可能な画面形式テストパターンのデータを送信し、
表示手段に表示された画面形式テストパターンに応じて入力手段に入力されたデータに基づく画面形式データを、端末がサーバに送信し、
サーバが受信した画面形式データに基づいて、サーバが画面形式データを送信した端末の表示手段における画面形式を特定する
ことを特徴とする画面形式判別方法である。
【００１７】
この第１の発明において、典型的には、サーバは、複数の画面形式データが格納されているデータベースを有し、端末から送信された画面形式データに基づいて、データベースから画面形式データを索出し、この索出された画面形式データを、画面形式データを送信した端末の表示手段における画面形式として特定する。また、端末から送信される画面形式データが数値データである場合、サーバにより、画面形式データにおける数値データに最も近い画面形式データが索出され、この索出された画面形式データを、画面形式データを送信した端末の表示手段における画面形式として特定するのが好ましい。
【００１８】
この発明の第２の発明は、
ネットワーク網と、
ネットワーク網に接続可能なサーバと、
ネットワーク網に接続可能で、表示手段および入力手段を備えた、複数の端末と、を有し、
サーバが、端末に、画面形式を特定可能な情報を含む画面形式テストパターンのデータを送信し、
端末における表示手段が、画面形式のテストパターンを表示し、
ユーザにより、表示手段におけるテストパターンの表示に応じた入力が入力手段にされることにより、端末が表示手段の画面形式を特定可能な画面形式データを、ネットワーク網を介してサーバに送信可能に構成され、
サーバが、受信した画面形式データに基づいて、画面形式データを送信した端末における表示手段の画面形式を特定するように構成されている
ことを特徴とする画面形式判別システムである。
【００１９】
この発明の第３の発明は、
情報を表示可能に構成された表示手段と、情報を入力可能に構成された入力手段とを有するとともに、ネットワーク網に接続可能に構成され、ネットワーク網を介して受信した画面形式テストパターンのデータの少なくとも一部が、表示手段により表示可能に構成され、表示手段における画面形式テストパターンのデータの表示に応じた入力がユーザにより入力手段にされると、表示手段の画面形式を特定可能な画面形式データを、ネットワーク網を介して出力可能に構成された、車載端末が備えられている
ことを特徴とする車両である。
【００２０】
この発明において、典型的には、例えば、端末は、車両に搭載可能に構成された車載端末であるが、端末として、携帯電話やＰＤＡなどの携帯端末を採用することも可能である。
【００２１】
この発明において、典型的には、表示手段と入力手段とが、一体的に構成され、表示画面が、有体物またはユーザの体の一部を接触させて情報を入力可能なタッチパネルディスプレイから構成されているが、表示手段としてのディスプレイと、入力手段としての入力部とを別体に構成することも可能である。
【００２２】
この発明において、典型的には、表示手段の画面形式を特定する画面形式データは、表示手段における主に解像度を表すドット数データ、およびクリックする際の接触領域を表すビーム間隔データを含むが、表示手段の画面形式を特定することが可能であれば、必ずしもこれらのデータに限定されるものではなく、画面形式を特定可能な種々のデータを採用することが可能である。
【００２３】
上述のように構成されたこの発明によれば、それぞれの端末に、画面形式を特定する画面形式テストパターンのデータを受信して表示手段に表示させ、ユーザが、この表示手段に表示された画面形式テストパターンに応じた入力を入力手段に行うと、この入力により画面形式データが生成され、この画面形式データに基づいて、サーバにおいて画面形式を特定することができるので、サーバからそれぞれの端末に、コンテンツ変換サービスが提供される場合には、それぞれの端末において、それぞれの端末の表示部に適したコンテンツ変換を施すことが可能となる。
【００２４】
【発明の実施の形態】
以下、この発明の一実施形態について図面を参照しながら説明する。なお、以下の一実施形態の全図においては、同一または対応する部分には同一の符号を付す。
【００２５】
まず、この発明の一実施形態による画像判別方法について説明する。図１に、この一実施形態によるコンテンツ変換の画像判別に関する概略を示す。
【００２６】
図１に示すように、この一実施形態による画像判別方法においては、コンテンツ情報処理センタ１にコンテンツ変換サーバ２が設置されている。このコンテンツ変換サーバ２と複数の車両２０にそれぞれ搭載された車載端末３との間において、データを送受信が可能に構成されている。なお、図１においては、車載端末３は１つのみで記載しているが、実際には、多数の車載端末３が存在している。
【００２７】
すなわち、図２に示すように、コンテンツ変換サーバ２は、ネットワーク網１０に接続されている。また、車載端末３を備えた車両２０が複数台、ネットワーク網１０に接続されている。また、同様に、例えば携帯電話やＰＤＡ端末などの複数の携帯端末３０（図２中、１台のみ描画）がネットワーク網１０に接続されている。これにより、コンテンツ変換サーバ２と、車載端末３や携帯端末３０とが相互に通信可能に構成されている。
【００２８】
また、図１に示すように、コンテンツ変換サーバ２は、画面形式データベース４を参照可能に構成されている。この画面形式データベース４には、車載端末３のタッチパネル３ａに表示するための端末に応じた画面形式に関する、種々の画面形式データ４ａ，４ｂ，４ｃ，…（画面形式Ａ、画面形式Ｂ、画面形式Ｃ、…）が格納されている。これらの画面形式データとしては、ＶＧＡ（Ｖｉｄｅｏ  Ｇｒａｐｈｉｃｓ  Ａｒｒａｙ）、ＳＶＧＡ（Ｓｕｐｅｒ  ＶＧＡ）、ＸＧＡ（ｅＸｔｅｎｄｅｄ  Ｇｒａｐｈｉｃｓ  Ａｒｒａｙ）などのディスプレイ規格情報データや、ドット数データからなる解像度データや、などを挙げることができる。
【００２９】
これらの画面形式データベース４に格納されている画面形式データ４ａ，４ｂ，４ｃは、車載端末３のタッチパネル３ａに適した画面形式データが、コンテンツ変換サーバ２により索出可能に構成されている。
【００３０】
また、タッチパネル３ａに対して最適な画面形式データを索出したコンテンツ変換サーバ２は、索出された画面形式に基づいて、コンテンツ変換されたＷｅｂページなどのコンテンツを、車載端末３に送信可能に構成されている。
【００３１】
（コンテンツ変換サーバ）
ここで、このコンテンツ変換サーバ２およびクライアント端末の具体的な構成の一例を図３に示す。
【００３２】
図３に示すように、コンテンツ変換サーバ２は、所定のプロトコルに基づいて、上述したような携帯端末３０や車載端末３などの種々のクライアント端末と、通信可能に構成されている。このコンテンツ変換サーバ２には、少なくとも１種類のオペレーティングシステム（ＯＳ）に基づいて、種々のアプリケーションプログラムが構築されている。
【００３３】
これらのアプリケーションとしては、例えば、機能拡張が図られたＨＴＴＰサーバであるアパッチ（Ａｐａｃｈｅ）などから構成されたＷｅｂサーバ、動的Ｗｅｂページを表示するためのサーブレット（Ｓｅｒｖｌｅｔ）、このサーブレットと連携して動的ページを供給可能なジャバサーバページ（ＪＳＰ）、およびＨＴＴＰにより供給されるＨＴＭＬドキュメントなどから構築されている。また、データベースの検索を実行するために、所定のＯＳをベースにしたデータベース検索アプリケーション（ＤＢＭＳ（Ｄａｔａ  Ｂａｓｅ  Ｍａｎａｇｅｍｅｎｔ  Ｓｙｓｔｅｍ））が格納されている。
【００３４】
また、所定のＯＳをベースにした、クライアント（車載端末３や携帯端末３０）から、所定の規格化されているディレクトリサービスのディレクトリにアクセスするための、ＴＣＰ／ＩＰ上で動作するプロトコルであるＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）が格納されている。そして、Ｗｅｂブラウザやメーラなどから、ＬＤＡＰをサポートするディレクトリサービスを直接検索、参照することが可能となっている。
【００３５】
（画面判別方法）
次に、以上のように構成されたコンテンツ変換サーバ２と車載端末３との間で実行される画面判別方法について図面を用いて説明する。
【００３６】
すなわち、ある利用者が、任意の車載端末３において、コンテンツ変換サーバ２を利用する場合について説明する。この車載端末３によるコンテンツ変換サーバ２の利用が最初の利用である場合、まず、コンテンツ変換サーバ２から車載端末３に、この車載端末３のタッチパネル３ａの画面形式を識別するためのテストパターン５のデータが送信される。
【００３７】
そして、このテストパターン５のデータを受信した車載端末３においては、タッチパネル３ａに、このテストパターン５の少なくとも一部分が表示される。そして、テストパターン５の表示において、利用者に対し、指定された部分を触れるように指示がされる。この指示に応じて、利用者が指などで、この指定された部分に接触する作業（タッチ作業）を行う。以下に、この一連のテストパターン５のタッチ作業について説明する。図４に、テストパターンの一例を示す。
【００３８】
（テストパターン）
図４に示すように、この一実施形態による画面判別方法に用いられるテストパターンにおいては、タッチパネル３ａにおける画面形式として、画面の横サイズ（横ドット数）、画面の縦サイズ（縦ドット数）およびビーム間隔を検知可能なパターンとなっている。
【００３９】
すなわち、画面の横サイズの検知においては、図４中のタッチパネル３ａに表示された複数の「十字（＋）」のうちの右端の「＋」に触れるように指示される。この指示に応じて、利用者が指などによって、複数の「＋」から右端の「＋」にタッチする。同様に、画面の縦サイズの検知においては、利用者に、画面の下端の「＋」をタッチするように指示がされ、利用者は、横サイズの検知と同様に、指などによって下端の「＋」をタッチする。
【００４０】
これにより、タッチパネル３ａの横サイズにおけるドット数が検知され、同様にして、縦サイズにおけるドット数が検知される。
【００４１】
また、同様にして、ビーム間隔の検知が行われる。すなわち、この一実施形態によるテストパターンにおいては、ビーム間隔の検知に用いられるパターンとして、例えば、図４における縦方向と横方向とに「ボタン（□）」（図４中、緑に該当、以下、緑ボタン）が並べられている。
【００４２】
また、図４中下方になるほど緑ボタンとの間隔が徐々に広くなるように、縦方向にのみ配置された「□」（図４中、青に該当、以下、青ボタン）と、緑ボタンとの間隔が、図４中右方になるほど徐々に広くなるように、横方向にのみ配置された「□」（図４中、赤に該当、以下、赤ボタン）とが配置されている。
【００４３】
そして、利用者に対しては、これらのボタンのうちの、緑ボタンと、赤ボタンまたは青ボタンとをタッチするように指示がされる。この指示に従って、利用者は指などにより、タッチパネル３ａにおける、緑ボタンおよび赤ボタン、または緑ボタンおよび青ボタンに、それぞれタッチする。これにより、ビーム間隔が検知される。
【００４４】
なお、タッチパネルを備えたＰＤＡや携帯電話などの携帯端末３０において、同様の操作を行う場合であっても、利用者の指を用いるのみならず、例えば先端のとがったポインティング用のペンなどの有体物を用いて、「＋」や「□」にタッチすることにより、同様の操作を実行することが可能である。
【００４５】
以上のようにして検知された、縦のドット数および横のドット数からなる解像度のデータ（ドット数データ）と、ビーム間隔のデータ（ビーム間隔データ）とを数値データとして含む画面形式データが、車載端末３の情報処理部（図示せず）により生成され、ネットワーク網１０を介して、コンテンツ変換サーバ２に送信される。
【００４６】
また、車載端末３の表示部がタッチパネルディスプレイでない場合や、携帯端末３０の表示部がタッチパネルディスプレイでない場合においては、例えば、端末において、ハイパーテキストトランスファプロトコル（ｈｔｔｐ）におけるユーザエージェントフィールド（Ｕｓｅｒ  Ａｇｅｎｔ  Ｆｉｅｌｄ）に、画面形式の情報を挿入して、コンテンツ変換サーバ２に送信するようにしてもよい。
【００４７】
また、事前に、それぞれの端末の表示部の画面情報と、この画面情報に関連づけされた端末ＩＤとがコンテンツ変換サーバ２に登録されており、このコンテンツ変換サーバ２において、それぞれの端末における端末ＩＤによって画面形式を識別するようにしてもよい。
【００４８】
画面形式データを受信したコンテンツ変換サーバ２においては、受信した画面形式データにおける、ドット数データおよびビーム間隔データに基づいて、画面形式データベース４の検索が行われる。
【００４９】
そして、コンテンツ変換サーバ２においては、画面形式データベース４に格納された画面形式データ４ａ，４ｂ，４ｃ…から、受信した画面形式データに最も近い画面形式データが索出される。そして、この索出された画面形式データは、コンテンツ変換サーバ２において、車載端末３の画面形式として特定される。
【００５０】
そして、以上のようにして車載端末３の画面形式が特定された後は、この車載端末３に送信するコンテンツに関しては、コンテンツ変換サーバ２により特定された画面形式に最適な設定が選択される。そして、この画面形式に基づいたＷｅｂページなどのコンテンツ変換サービス６が、コンテンツ変換サーバ２から車載端末３に送信される。これにより、利用者は、使用する車載端末３において最適なコンテンツ変換サービス６を享受することが可能となる。
【００５１】
以上説明したように、この一実施形態によれば、コンテンツ変換サーバ２から車載端末３に、ドット数とビーム間隔とを検知可能なパターンが配置されたテストパターン５を送信し、タッチパネル３ａにおいて、このテストパターン５を表示して、利用者がその指定部分を触れることにより、車載端末３におけるタッチパネル３ａの画面形式データを検知することができ、この検知された画面形式データに基づいて、車載端末３などの端末における表示部の表示形式を特定するようにしていることにより、車載端末３などのように、画面形式が多岐にわたって使用されている場合においても、それぞれの車載端末３において、最も適した画面形式を容易に特定することができ、たとえ利用者がディスプレイにおける画面形式の詳細を知見していない場合であっても、コンテンツ変換サーバ２により、容易に画面形式を特定することができるので、コンテンツ変換サーバ２から、個々の車載端末３に、これらの車載端末３における画面形式にそれぞれ応じたコンテンツ変換サービスを提供することが可能となる。
【００５２】
以上、この発明の一実施形態について具体的に説明したが、この発明は、上述の実施形態に限定されるものではなく、この発明の技術的思想に基づく各種の変形が可能である。
【００５３】
例えば、上述の実施形態において挙げた画面形式のテストパターンはあくまでも例に過ぎず、必要に応じてこれと異なる画面形式のテストパターンを用いてもよい。
【００５４】
【発明の効果】
以上説明したように、この発明によれば、サーバが、表示手段を備えた端末に、表示手段に表示可能な画面形式テストパターンのデータを送信し、表示手段に表示された画面形式テストパターンのデータに応じて入力手段から入力されたデータに基づく画面形式データを、端末がサーバに送信し、受信した画面形式データに基づいて、サーバが画面形式データを送信した端末の表示手段における画面形式を特定するようにしていることにより、端末における表示部の画面形式が多様にわたる場合であっても、コンテンツ変換サービスにおいて、端末ごとに、表示部の画面形式に適合した画面情報を得ることができる。また、利用者が、端末の画面形式について詳細な情報を知見していない場合であっても、端末ごとに、最適化されたコンテンツ変換サービスを享受することができる。
【図面の簡単な説明】
【図１】この発明の一実施形態による画面形式判別方法を説明するための概略図である。
【図２】この発明の一実施形態によるコンテンツ変換サービスシステムの全体構成の概略を示す図である。
【図３】この発明の一実施形態による画面形式判別方法におけるコンテンツ変換サーバの機能構成を示すブロック図である。
【図４】この発明の一実施形態による画面形式判別方法において用いられる画面形式パターンの一例を示す略線図である。
【符号の説明】
１  コンテンツ情報処理センタ
２  コンテンツ変換サーバ
３  車載端末
３ａ  タッチパネル
４  画面形式データベース
４ａ，４ｂ，４ｃ  画面形式データ
５  テストパターン
６  コンテンツ変換サービス
１０  ネットワーク網
２０  車両
３０  携帯端末
【図１】
2005004527.tif 000003
【図２】
2005004527.tif 000004
【図３】
2005004527.tif 000005
【図４】
2005004527.tif 000006